(57)【要約】【課題】無用な衝突音の発生を防ぐことができるカード挿入口付き電子機器を提供する。【解決手段】機器本体１の表パネル４にＩＣカードＣを機器本体内部に挿入するためのカード挿入口５が設けられ、表パネルの前面に、カード挿入口を開閉するシャッタ６が表パネルに沿ってスライド自在に設けられ、機器本体とシャッタとの間に、シャッタを開き側に付勢し、閉位置へのロックが解除された際に、シャッタを、カード挿入口を開放する位置まで移動させるコイルスプリング７が設けられ、機器本体に、シャッタが開放側に移動したとき、シャッタ側の当接部６ｓと突き当たることでシャッタを定位置に止めるストッパ３ｓが設けられ、ストッパ側に、ストッパとシャッタが突き当たるより先に相手側と接触して弾性変形するクッション材８が設けられている。【選択図】図１
2008276558.tif 000002
【特許請求の範囲】
【請求項１】
機器本体の外装パネルに情報記憶媒体カードを該機器本体の内部に挿入するためのカード挿入口が設けられ、前記外装パネルの前面に、前記カード挿入口を開閉するシャッタが該外装パネルに沿ってスライド自在に設けられ、前記機器本体とシャッタとの間に、該シャッタを開き側に付勢し、閉位置へのロックが解除された際に、前記シャッタを、前記カード挿入口を開放する位置まで移動させる付勢部材が設けられ、前記機器本体に、前記シャッタが前記付勢部材の力で開放側に移動したとき、前記シャッタ側の当接部と突き当たることで該シャッタを定位置に止めるストッパが設けられており、前記ストッパまたはシャッタの少なくとも一方に、前記ストッパとシャッタが突き当たるより先に相手側と接触して弾性変形するクッション材が設けられていることを特徴とするカード挿入口付き電子機器。
【請求項２】
請求項１に記載のカード挿入口付き電子機器であって、
前記シャッタは、自身の上下端縁部が前記機器本体に形成したレールに係合されることにより、該レールに沿って左右方向にスライド自在に設けられていることを特徴とするカード挿入口付き電子機器。
【請求項３】
請求項１または２に記載のカード挿入口付き電子機器であって、
前記シャッタの裏面に、前記外装パネルに摺接することで、シャッタのスライド動作に摩擦抵抗によるダンパ作用を付与するバネ部材が設けられていることを特徴とするカード挿入口付き電子機器。
【請求項４】
請求項１〜３のいずれか１項に記載のカード挿入口付き電子機器であって、
前記付勢部材がコイルスプリングよりなり、前記シャッタの裏面側に配置されていることを特徴とするカード挿入口付き電子機器。
【発明の詳細な説明】
【技術分野】
【０００１】
本発明は、車両に搭載されるデジタルタコグラフ等のカード挿入口付きの電子機器に関するものである。
【背景技術】
【０００２】
例えば、デジタルタコグラフや自動料金収受システム（ETC：Electronic Toll Collection System）車載器などの車載電子機器の中は、機器本体の前面パネル（外装パネル）に、情報記憶媒体であるメモリカードやＩＣカード等の情報記憶媒体カードを挿入するためのカード挿入口を有したものがある。
【０００３】
このようなカード挿入口付きの電子機器として、特許文献１に記載されたデジタルタコグラフが知られており、図４は同文献に記載された従来のデジタルタコグラフ１００の外観を示している。
【０００４】
このデジタルタコグラフ１００は、本体ケース１０１の前面に各種スイッチ類を装備した前面パネル１０２を有し、前面パネル１０２に、情報記憶媒体カードＣを挿入するためのカード挿入口１０３を有している。
【０００５】
カード挿入口１０３にカードＣを挿入すると、スライドボタン１０４がバネ（図示略）の力によりカード挿入口１０３の一部を覆い、取り出しボタン１０５を操作しても、カードＣが取り出せない構成となっている。そして、カードＣへの情報の書き込みは、終了ボタン１０６の操作に応じて開始される。
【０００６】
また、カードＣの取り出しの際は、カード挿入口１０３にかからないようにスライドボタン１０４を前面パネル１０２の左側にずらして保持しながら、取り出しボタン１０５を押圧することで、カードＣを挿入口１０３から排出させることができる。
【０００７】
ところで、このデジタルタコグラフ１００では、前面パネル１０２に設けたカード挿入口１０３が常時外部に露出しているので、カード挿入口１０３から機器内部に埃などが入りやすい上、スライドボタン１０４だけでカードＣの抜き取りを防止しているので、タコグラフの誤操作に対する防御性が弱いという問題があった。このような問題は、デジタルタコグラフ以外の機器でも同様に起こり得る。
【特許文献１】特開２００４−１０３４４６号公報
【発明の開示】
【発明が解決しようとする課題】
【０００８】
そこで、このような問題を解消するものとして、本発明者らは、図５に示すように、機器本体１１０の前面パネル１１１の前側に、カード挿入口１１２を開閉するスライド式のシャッタ１１３を設け、カードＣの挿入や取り出し以外の時は、シャッタ１１３でカード挿入口１１２を遮蔽するようにしたデジタルタコグラフの案を出して検討した（未公開）。
【０００９】
図５に示すものでは、シャッタ１１３のスライド方向は矢印Ａで示す左右方向になっており、カードＣの挿入や取り出し以外の時は、図５（ａ）に示すように、シャッタ１１３が左側にスライドしてカード挿入口１１２を覆い、カードＣの挿入時や取り出し時は、図５（ｂ）に示すように、シャッタ１１３が右側にスライドして、カード挿入口１１２を開放するようになっている。
【００１０】
この場合、シャッタ１１３を開く動力源としてバネを利用し、閉位置でのロックが解除されることにより、バネの力でシャッタ１１３が開放側に移動し、シャッタ１１３がストッパに当たって止まるようにすることを考え出して検討した。
【００１１】
ところが、その検討の過程で、シャッタ１１３やストッパは硬質の樹脂で成形することになるから、そのまま硬質樹脂製のシャッタ１１３とストッパを衝突させると、衝突音が出る可能性があることに気付いた。
【００１２】
本発明は、上記事情を考慮し、無用な衝突音の発生を防ぐことのできるカード挿入口付き電子機器を提供することを目的とする。
【課題を解決するための手段】
【００１３】
請求項１の発明のカード挿入口付き電子機器は、機器本体の外装パネルに情報記憶媒体カードを該機器本体の内部に挿入するためのカード挿入口が設けられ、前記外装パネルの前面に、前記カード挿入口を開閉するシャッタが該外装パネルに沿ってスライド自在に設けられ、前記機器本体とシャッタとの間に、該シャッタを開き側に付勢し、閉位置へのロックが解除された際に、前記シャッタを、前記カード挿入口を開放する位置まで移動させる付勢部材が設けられ、前記機器本体に、前記シャッタが前記付勢部材の力で開放側に移動したとき、前記シャッタ側の当接部と突き当たることで該シャッタを定位置に止めるストッパが設けられており、前記ストッパまたはシャッタの少なくとも一方に、前記ストッパとシャッタが突き当たるより先に相手側と接触して弾性変形するクッション材が設けられていることを特徴としている。
【００１４】
請求項２の発明は、請求項１に記載のカード挿入口付き電子機器であって、前記シャッタは、自身の上下端縁部が前記機器本体に形成したレールに係合されることにより、該レールに沿って左右方向にスライド自在に設けられていることを特徴としている。
【００１５】
請求項３の発明は、請求項１または２に記載のカード挿入口付き電子機器であって、前記シャッタの裏面に、前記外装パネルに摺接することで、シャッタのスライド動作に摩擦抵抗によるダンパ作用を付与するバネ部材が設けられていることを特徴としている。
【００１６】
請求項４の発明は、請求項１〜３のいずれか１項に記載のカード挿入口付き電子機器であって、前記付勢部材がコイルスプリングよりなり、前記シャッタの裏面側に配置されていることを特徴としている。
【発明の効果】
【００１７】
請求項１の発明によれば、クッション材の作用により、付勢部材の力でシャッタが開いた時のストッパとシャッタとの衝突音（異音）を低減することができる。
【００１８】
請求項２の発明によれば、レールにシャッタの上下端縁部を係合させているので、シャッタの脱落を防止しながら、簡単な構造により、シャッタを安定してスライドさせることができる。
【００１９】
請求項３の発明によれば、ダンパ作用により、シャッタの移動速度を落とすことができるため、シャッタ開放時の衝突音を更に減らすことができる。また、シャッタをゆっくり動かすので、重厚感や高級感を持たせることもできる。
【００２０】
請求項４の発明によれば、付勢部材であるコイルスプリングを前面から見えない位置に配置することができ、見栄えを損なうことがない。
【発明を実施するための最良の形態】
【００２１】
以下、本発明の実施形態を図面を参照しながら説明する。
【００２２】
図１は実施形態のデジタルタコグラフの前部を下側から見た部分斜視図である。また、図２（ａ）は図１のＩＩ部分の正面図、図２（ｂ）は図２（ａ）に対しクッション材がない場合の比較例を示す図、図３（ａ）は図１のＩＩＩ部分の上から見た水平断面図、図３（ｂ）は図３（ａ）に対し板バネがない場合の比較例を示す図である。
【００２３】
図１に示すように、このデジタルタコグラフの機器本体１は、デジタルタコグラフの回路等を収納する上ケース２および下ケース３と、上ケース２および下ケース３の前面開口を覆う表パネル（外装パネル）４と、を備えている。表パネル４には、ＩＣカード（情報記憶媒体カード）Ｃを機器本体１の内部に挿入するためのカード挿入口５が設けられ、表パネル４の前面に、カード挿入口５を開閉するシャッタ６が、表パネル４に沿って左右方向（矢印Ａ方向）スライド自在に設けられている。
【００２４】
シャッタ６は、前面壁６ａの上端と下端に係合縁部（上下端縁部）６ｂ、６ｃを有しており、これら係合縁部６ｂ、６ｃを、上ケース２の庇部２ａの前端下面に設けたレール溝２ｂと下ケース３の前端下面に設けたレール溝３ｂに係合させることにより、レール溝２ｂ、３ｂに沿って左右方向にスライド自在に装備されており、組み立てた状態でレール溝２ｂ、３ｂから抜けないようになっている。これにより、簡単な構造で、シャッタ６を安定してスライドさせることができる。
【００２５】
また、機器本体１とシャッタ６との間には、下ケース３に設けたフック３ｄとシャッタ６の下端に設けたフック６ｄとに両端を係止させることにより、シャッタ６を開き側（図１中の右側）に付勢するコイルスプリング（付勢部材）７が張設されている。このコイルスプリング７は、閉位置へのロックが解除された際に、シャッタ６を、カード挿入口５を開放する位置まで移動させるもので、シャッタ６の裏面側に隠れるように配置され、見栄えを損なわないようになっている。
【００２６】
また、機器本体１（表パネル４でも下ケース３でもよい）には、図２（ａ）にも示すように、シャッタ６がコイルスプリング７の力で矢印Ａのように開放側（右側）に移動したとき、シャッタ６側の右端面（当接面）６ｓと突き当たることで、シャッタ６を定位置に止めるストッパ３ｓが設けられている。特に、この場合、ストッパ３ｓの近傍（図示例では下側）には、ストッパ３ｓとシャッタ６が突き当たるよりも先に、シャッタ６と接触して弾性変形するクッション材８が設けられている。つまり、ストッパ３ｓよりもクッション材８の方がシャッタ６側に突き出している。なお、クッション材８としては、弾性部材であれば何でもよく、ゴム、エラストマ、発泡ウレタン、バネ等が採用可能である。
【００２７】
また、シャッタ６の裏面には、図３（ａ）にも示すように、表パネル４の外表面に湾曲部が摺接することで、シャッタ６のスライド動作に摩擦抵抗によるダンパ作用を付与するへ字形の板バネ（バネ部材）９が設けられている。この板バネ９がないと、図３（ｂ）に示すように、シャッタ６と表パネル４の間には隙間ｄがあいているので、シャッタ６は、ほとんど抵抗なく素早く移動してしまうが、板バネ９による摺動抵抗があることにより、シャッタ６の移動にダンパ作用が与えられ、シャッタ６の移動速度が規制される。
【００２８】
次に作用を説明する。
【００２９】
シャッタ６は、図示しないロックが外れることにより、コイルスプリング７の力により図１中右側に移動し、最終的にストッパ３ｓに当たって止まるが、その前に、図２（ａ）に示すように、クッション材８に先に当たることで、衝撃を吸収されながら最終位置に至る。従って、ストッパ３ｓとシャッタ６との衝突音（異音）を低減することができる。因みに、図２（ｂ）のようにクッション材８がない場合は、硬質樹脂材料製のシャッタ６とストッパ３ｓが衝突することになるので、大きな衝突音が生じる可能性があるが、図２（ａ）のようにクッション材８を設けることで、衝突音の発生を防ぐことができ、品質向上が図れる。
【００３０】
この場合、ストッパ３ｓのシャッタ６に対する当接面に直接クッション材を貼り付けてもよいが、そうしないで、敢えてストッパ３ｓに隣接させてクッション材８をストッパ３ｓと別に設けているので、シャッタ６がクッション材８を弾性変形させながら最終的にストッパ３ｓに当たって止まるようにすることができ、それにより、停止位置の精度を出すことができる。
【００３１】
また、シャッタ６のスライドの際には、板バネ９によるダンパ作用が働くので、シャッタ６の移動速度を落とすことができ、シャッタ６の開放時の衝突音を更に減らすことができる。また、シャッタ６をゆっくりと動かすことができるので、重厚感や高級感を持たせることもできる。
【００３２】
なお、上記実施形態では、クッション材８をストッパ３ｓ側に設けた場合を示したが、シャッタ６側に設けてもよいし、両方に設けてもよい。
【図面の簡単な説明】
【００３３】
【図１】本発明の実施形態のデジタルタコグラフ（カード挿入口付き電子機器）の前部の下側から見た部分斜視図である。
【図２】（ａ）は図１のＩＩ部分の正面図、（ｂ）は（ａ）に対しクッション材がない場合の比較例を示す図である。
【図３】（ａ）は図１のＩＩＩ部分の上から見た水平断面図、（ｂ）は（ａ）に対し板バネがない場合の比較例を示す図である。
【図４】従来のデジタルタコグラフの一例を示す外観斜視図である。
【図５】本発明に至る前に検討したスライド式のシャッタを有するデジタルタコグラフの一例を示す外観斜視図で、（ａ）はシャッタを閉じた状態、（ｂ）はシャッタを開いた状態を示す図である。
【符号の説明】
【００３４】
１  機器本体
２ｂ，３ｂ  レール溝（レール）
３ｓ  ストッパ
４  表パネル（外装パネル）
５  カード挿入口
６  シャッタ
６ｂ，６ｃ  係合縁部（上下端縁部）
６ｓ  右端面（シャッタ側の当接部）
７  コイルスプリング（付勢部材）
８  クッション材
９  板バネ（バネ部材）
Ｃ  ＩＣカード（情報記憶媒体カード）
【図１】
2008276558.tif 000003
【図２】
2008276558.tif 000004
【図３】
2008276558.tif 000005
【図４】
2008276558.tif 000006
【図５】
2008276558.tif 000007